(57)【特許請求の範囲】
【請求項１】
口栓部と肩部と胴部と底部とを備えた自立性耐圧ボトルにおいて、
前記底部の中央部に平面部が設けられ、
この平面部の周囲に、下方へ突出した半球状の脚部が複数設けられ、
底部の起点部から前記脚部及び平面部に至る外周面が、
底部の起点部の輪郭の曲率半径Ｒ１、脚部の輪郭の外側部分の曲率半径Ｒ２及び内側部分の曲率半径Ｒ３の湾曲面を連ねて形成され、前記脚部の周面は前記曲率半径Ｒ３の湾曲面を介して前記平面部に繋がっており、
前記Ｒ１はボトルの外方へ、Ｒ２及びＲ３はボトルの内方へ、それぞれ湾曲した曲率半径であり、これらが以下の関係式を満たすように設けられた構成を有することを特徴とする自立性耐圧ボトル。
（関係式）  Ｒ３＜Ｒ２＜Ｒ１
【請求項２】
複数の脚部は、各脚部の湾曲面が隣接する脚部同士で交差しない配置に設けられたことを特徴とする請求項１に記載の自立性耐圧ボトル。
【請求項３】
ボトルの軸心Ｏから胴部の内面までの胴部の半径ａと、半球状の脚部の輪郭の半径を規定する中心点ｃとボトルの軸心Ｏの間の距離ｂが、以下の関係式を満たすように設けられた構成を有することを特徴とする請求項１又は２に記載の自立性耐圧ボトル。
（関係式）ａ／ｂ＝１．５〜２．２
【請求項４】
胴部の半径ａと、脚部の接地面から底部中央に設けられた平面部までの高さｄが、以下の関係式を満たすように設けられた構成を有することを特徴とする請求項１から３の何れかに記載の自立性耐圧ボトル。
（関係式）ａ／ｄ＝５〜１８
【請求項５】
各脚部の外周面であって、それぞれの脚部の半球状の頂点とこれを中心とした周囲の等間隔開けた位置に点状の凸部が設けられた構成を有することを特徴とする請求項１から４の何れかに記載の自立性耐圧ボトル。
【発明の詳細な説明】
【技術分野】
【０００１】
本発明は、ビールなどの炭酸ガスが溶け込んだ飲料を充填し包装するのに好適な合成樹脂製の自立性耐圧ボトルに関する。
【背景技術】
【０００２】
炭酸ガスが含有された清涼飲料水などを充填し包装する自立型の容器として、ポリエチレンテレフタレートなどのポリエステル系樹脂からなる合成樹脂製の耐圧ボトルが用いられている。
【０００３】
従来、コンビニエンスストアなどの店頭に並べて販売される内容量５００ｍｌ程度のガス含有清涼飲料水用の耐圧ボトルとしては、例えば図１０に示されるように、下向き半球形状の底面１０１ａの外周面に下方へ突出した複数の脚部１０２を放射状に配置して、底部１０１をペタロイド形状に設けた構成のものが広く使われている（例えば特許文献１参照）。
【０００４】
また、１０Ｌを超える大容量の飲料水などを充填して貯蔵したり運搬したりするための自立型の耐圧ボトルとして、例えば図１１に示されるように、下向き半球状の輪郭を呈する底部１１１の中央部に下方突出部１１２を設け、この下方突出部１１２の周りに、上方へ凹んだ谷部１１３を挟んで複数の中空卵形の脚形成部１１４を、互いに等間隔を開けて設けた構成のものが知られている（例えば特許文献２参照）。
【先行技術文献】
【特許文献】
【０００５】
【特許文献１】特許平９−３１５４２０号公報
【特許文献２】特開２０１３−５２３５４９号公報
【発明の開示】
【発明が解決しようとする課題】
【０００６】
前記図１０に示された、底部１０１をペタロイド形状に設けた耐圧ボトル１００は、良好な自立性と耐圧性を備え、また、ボトル全体が高い剛性を有するため、自動販売機による販売もされ、飲料を携行するための容器として好適といえる。
【０００７】
このような清涼飲料水の包装に利用されている耐圧ボトル１００は、携行がし難い大容量の飲料水の包装、例えば店頭で購入した後は家庭の冷蔵庫に入れて保存されることが多い、１Ｌの容量を超えるビールなどの包装にも使用することは可能であるが、その場合、ボトルが大型化するのに伴って、ボトルの成形に使用する樹脂の量が多くなって成形コストが嵩張り、また、ボトル自体も重くなって使い勝手が悪くなる。使用樹脂量を抑制して軽量化を図ったのでは、ボトル全体の厚みが薄くなり、必然的に底部１０１の脚部１０２の厚みも薄くなり、ペタロイド形状の底部１０１全体の強度が低下したり、しわが発生するなどの成形不良を引き起こしたりするという問題がある。
【０００８】
また、清涼飲料水の包装には底部がペタロイド形状のボトル、ビールの包装にはペタロイド形状とは異なる外観デザインのボトルというように、ボトルに充填される飲料の種類や内容量、その購買層などに応じて使用するボトルの外観デザインを異ならせれば、充填された飲料の購入を予定している購買者に対する視覚的訴求力を高めることができ、また、清涼飲料水と間違えてビールを購入するような購入間違いの発生を防止できてより好ましい。
【０００９】
ペタロイド形状とは異なる形状の底部を備えた前記図１１に示された耐圧ボトル１１０は、底部１１１の中央部の下方突出部１１２の周囲に谷部１１３を配置し、さらに谷部１１３に脚形成部１１４を連ならせて、底部１１１全体が上下に波打った凹凸形状を呈しているため、耐圧ボトル１１０への炭酸ガス充填時、とりわけ苛酷環境保管時に、底部１１１にクリープが生じて変形したり脚形成部１１４の変形が生じたりして、自立性が損なわれ易いという問題がある。
また、耐圧ボトル１１０の底部１１１の中央に下方突出部１１２が配置してあるため、耐圧ボトル１１０が飲料の充填ラインのコンベアで搬送される際に、下方突出部１１２がライン上のアルカリ溶液に浸水して割れが発生し易いという問題もある。
【００１０】
本発明は従来技術の有するこのような問題点に鑑み、ペタロイド形状とは異なる形状の底部を備えていて、自立性が損なわれず、且つ十分な耐アルカリ性能を有する、比較的大容量の炭酸ガス含有飲料を充填し包装するのに適した自立性耐圧ボトルを構成することを課題とする。
【課題を解決するための手段】
【００１１】
前記課題を解決するにあたり本発明は、口栓部と肩部と胴部と底部とを備えた自立性耐圧ボトル（以下、単に「ボトル」ともいう。）において、
前記底部が、その中央部に平面部が設けられ、この平面部の周囲に、下方へ突出した半球状の脚部が複数設けられた構成を有することを特徴とする。
【００１２】
これによれば、少ない樹脂材料で自立性及び耐圧性が良好な、比較的大容量の飲料を充填可能なボトルを形成することができる。ボトルの底部はその中央部分に平坦な面である平面部、その周囲に平面部よりも下方へ突出した複数の半球状の脚部が配置され、ボトルは各脚部を接地して自立するので、飲料の充填ラインでボトルを搬送する際に、底部のアルカリ溶液に浸される部分の面積が極めて小さく、割れの発生が抑えられる。
なお、底部に設ける半球状の脚部は、ボトルが安定して自立するように、平面部の周囲に少なくとも三つ以上を設け、各々ボトル底部からの下方への突出幅を適宜に設定して、各脚部の先端を机上などの水平な接地面に接地させた状態で平面部が水平となるように設けることが好ましい。
脚部は、ボトルの自立性が保持されるのであれば、平面部の周囲に適宜な態様、例えば平面部の片側に複数、他側に一つ又は複数の脚部を設ける態様で配置可能であるが、底部全体に対して脚部が偏って配置されていると、自立性が不安定となって倒れやすくなるとともに、脚部を含む底部全面で肉厚が不均一となって賦形性も悪くなり、変形しやすく耐圧性が低下する。よって、半球状の脚部は、平面部の周囲であって、底部の投影面内におけるボトルに軸心Ｏを中心とした同一円周上に、複数の脚部が周方向に沿って、隣接した脚部との間隔が等間隔となるように配置することが好ましい。この場合、各脚部のボトル底部からの下方への突出幅を同じとすることで、ボトルを立たせた状態で平面部が水平となり、ボトルを安定して自立させることができる。
【００１３】
前記構成の自立性耐圧ボトルにおいて、ボトルの軸心Ｏから胴部の内面までの胴部の半径ａと、半球状の脚部の輪郭の半径を規定する中心点ｃとボトルの軸心Ｏの間の距離ｂが、以下の関係式を満たすように設けられていることが好ましい（図３参照）。
（関係式）ａ／ｂ＝１．５〜２．２
胴部の半径ａと前記距離ｂとの比が前記関係式の数値範囲内であれば、飲料が充填されたボトルを、テーブル上などの接地面上に安定的に立たせておくことができる。
胴部の半径ａと前記距離ｂとの比が、１．５より小さいと、底部の平面部の面積が大きくなって底部の中央部分の耐圧性が低下して変形を来し易くなり、また、２．２より大きく、脚部が底部の中央側に寄っていると、ボトルが倒れやすくなる。よって、前記比は１．５〜２．２の範囲であることが好ましく、１．６〜１．８であればより好ましい。
【００１４】
前記構成の自立性耐圧ボトルにおいて、胴部の半径ａと、脚部の接地面から底部中央に設けられた平面部までの高さｄが、以下の関係式を満たすように設けられていることが好ましい。
（関係式）  ａ／ｄ＝５〜１８
胴部の半径ａと前記高さｄとの比が前記関係式の数値範囲内であれば、飲料が充填されたボトルを安定的に立たせておくことができるとともに、飲料の充填ラインでアルカリ溶液が底部に接触する面積が小さくなり、割れの発生を抑えることができ、苛酷環境保管時にも底部が飛び出すことがなく、ボトルの自立性を保つことができる。
胴部の半径ａと前記高さｄとの比が、５より小さいと、脚部が長くなって成形不良を来たし易くなり、特に肉厚が不均一となって賦形性が悪化し、自立性が保てなくなる。また、１８より大きいと、接地面と底部の距離が近くなって、苛酷環境保管時にボトルの底部が飛び出したときに、その飛び出した部分が接地面に当たって自立性が保てなくなることがある。よって、前記比は５〜１８の範囲であることが好ましく、７〜１１であればより好ましい。
【００１５】
また、前記構成の自立性耐圧ボトルにおいて、底部の起点部の輪郭の曲率半径Ｒ１と、脚部の輪郭の外側部分の曲率半径Ｒ２及び内側部分の曲率半径Ｒ３が、以下の関係式を満たすように設けられていることが好ましい（図３参照）。
（関係式）  Ｒ３＜Ｒ２＜Ｒ１
底部の起点部から脚部及び平面部に至る外周面が、前記各曲率半径の湾曲面を連ねて形成されていれば、成形性が良く、また、胴部から脚部に至る外観がすっきりとした見栄えの良いものとなる。
ボトルを、その全長を１８２ｍｍ〜３００ｍｍ、胴部内径を１０６ｍｍ程度の寸法に設定し、満注容量が１Ｌ〜２Ｌの大きさに形成する場合、前記脚部の接地面から底部中央に設けられた平面部までの高さｄを３ｍｍ〜１０ｍｍに設定するとともに、前記各曲率半径をＲ１が３５ｍｍ〜４５ｍｍ、Ｒ２が２０ｍｍ〜４５ｍｍ、Ｒ３が５ｍｍ〜１５ｍｍの範囲内に設定すれば、成形性が良くボトルの見栄えも良好なものとなり、且つ耐圧性能も良好なものとなる。
【００１６】
また、前記構成の自立性耐圧ボトルにおいて、胴部の肉厚ｔ１は０．２ｍｍ〜０．５ｍｍ、底部の中央の平面部の肉厚ｔ２は１．３ｍｍ〜３．２ｍｍ、脚部の接地面の肉厚ｔ３は０．３ｍｍ〜１．０ｍｍの範囲に設けられていることが好ましい。
さらに、ボトルの底部の耐圧性を高めるとともに凹みなどの成形不良の発生を抑制するため、底部の中央の平面部内に、ボトルの軸心Ｏを中心とする円形の肉厚部が形成されていることが好ましい。
【００１７】
さらに、前記構成の自立性耐圧ボトルにおいて、各脚部を成形する金型部分であって各脚部の半球状の外側面が面する位置に複数の点状エアースリットが設けられた成形金型を用いて成形されていることが好ましい。
各脚部の外側面が面する位置の金型に点状にエアースリットが入っていれば、脚部の賦形性が良好となって各脚部の厚みが均等に揃えられ、脚部の高さに差が出るようなことはなく、脚部の高さの違いによって立てたボトルがぐらつくなどの自立性不良の発生を抑止することができる。金型に設けるエアースリットは、各脚部の半球状の頂点を中心とし、この中心点とその周囲に等間隔開けた複数点とに配置されていることが好ましい。
【００１８】
また、前記構成の自立性耐圧ボトルにおいて、ボトルの内面にガスバリア性薄膜がコーティングされた構成を有することが好ましい。
なかでも、ボトル内面にダイヤモンドライクカーボン（以下、「ＤＬＣ」という。）などの炭素を含む薄膜をコーティングしてガスバリア性を高めることで、ボトルに充填されるビールなどの炭酸ガスが溶け込んだ飲料の品質劣化を抑制し、適正な品質を保って保管したり運搬したりすることができる。
ボトル内面へのＤＬＣ成膜は、公知のプラズマ化学蒸着技術によって行うことができる。成膜は、ボトル内部の全面に均等に、且つ密着性良く行うことが肝要であり、酸素透過率が０．０１０ｃｃ／ｐｋｇ／ｄａｙ／ａｉｒ以下であることが望ましい。
【００１９】
なお、ボトルの成形に使用する樹脂としては、ポリエチレンテレフタレート系樹脂、主としてＰＥＴ樹脂を使用することができる。エチレンテレフタレート単位を主体として、他のポリエステル単位を含む共重合ポリエステルを使用することもでき、耐熱性を向上させるために、ナイロン系樹脂や、ポリエチレンナフタレート樹脂などの樹脂を少量ブレンドして使用してもよい。
【図面の簡単な説明】
【００２０】
【図１】本発明の一実施形態の自立性耐圧ボトルの外観図である。
【図２】図１の自立性耐圧ボトルの底面図である。
【図３】図１の自立性耐圧ボトルの要部を拡大した切断端面図である。
【図４】図１の自立性耐圧ボトルの底部側を拡大した切断端面図である。
【図５】図１の自立性耐圧ボトルの六面外観図である。
【図６】本発明の他の実施形態の自立性耐圧ボトルの外観図である。
【図７】比較例１の自立性耐圧ボトルの外観図（Ａ）と要部拡大切断端面図（Ｂ）である。
【図８】比較例２の自立性耐圧ボトルの外観図である。
【図９】実施例と比較例の評価結果を示した表である。
【図１０】従来の一例の耐圧ボトルの外観図である。
【図１１】従来の他の例の耐圧ボトルの底側外観図（Ａ）と底部側の切断端面拡大図（Ｂ）である。
【発明を実施するための形態】
【００２１】
本発明の好適な実施の形態を図面に基づいて説明する。
図１と図２は本発明の一実施形態の自立性耐圧ボトルの外観と底面を、図５は六面外観を各々示しており、図示されたボトル１は、ポリエステル系樹脂からなるパリソンを二軸延伸ブロー成形してなる、口栓部２、肩部３、胴部４及び底部５を備えたプラスチックボトルであり、その全長（ボトルの高さ）を１８２ｍｍ程度、胴部４の内径を１０６ｍｍ程度の大きさに設けて、内部に１Ｌの飲料を充填して密封包装することができるように形成してある。
【００２２】
図１に示されるように、自立性耐圧ボトル１は、キャップが取り付けられる口栓部２の下縁から周面が湾曲した略円錐状の肩部３が繋がり、肩部３の下縁に、円筒状の胴部４が連なり、胴部４の下部に当該胴部４から内方へ湾曲しつつ窄まった底部５を配した形状に設けてある。
【００２３】
詳しくは、図３及び図４に示されるように、底部５は、その中央部に、ボトル１を机上や床面に置いたときに水平な接地面と略平行となる平坦面である平面部５１が設けられ、この平面部５１の周囲に、下方へ突出した半球状の脚部５２を、ボトル１の軸心Ｏを中心とした同一円周上に、隣接した脚部５２との間隔が等間隔となるように設定して、五つ配置した形状に設けてある。各脚部５２の下方への突出幅は同じとしてある。
【００２４】
各脚部５２は、底部５内で平面部５１よりも下方へ突出しつつ半球状に膨出した輪郭を呈する部分であり、各々その外周面が胴部４と底部５の境界である底部起点部５ａから、ボトル１の外方へ曲率半径Ｒ１で湾曲した湾曲面を介して当該湾曲面に連なってボトル１の内方へ曲率半径Ｒ２で湾曲した湾曲面に連なり、また、その内周面がボトル１の内方へ曲率半径Ｒ３で湾曲した湾曲面を介して平面部５１に繋がるように設けて形成してある。
図２において、各半球状の脚部５２の湾曲する部分の輪郭を二本の細線で囲って示してあるが、各脚部５２は隣接する脚部５２同士で湾曲面が交差することなく、所定の間隔を開けて底部５の表面から下方へ独立して突出した形状に設けてある。
また、各脚部５２の外周面には、成形時に各脚部５２の外側面が面する位置の金型に形成された点状エアースリットの跡である点状の凸部５２ａが脚部５２の半球状の頂点と、これを中心とした周囲とに五つ配置して形成してある。
【００２５】
具体的には、各脚部５２は、各々半球状の輪郭の半径を規定する中心点ｃの位置が、ボトル１の軸心Ｏから一定の距離ｂだけ離れ、且つボトル１の軸心Ｏから胴部４の内面に至る胴部４の半径ａと前記距離ｂの比（ａ／ｂ）が、１．５〜２．２の範囲（ａ／ｂ＝１．５〜２．２）となるように設けてある。
また、各脚部５２は、胴部４の半径ａと、脚部５の接地面（最下点）から平面部５１までの高さｄの比（ａ／ｄ）が、５〜１８の範囲（ａ／ｄ＝５〜１８）となるように設けてある。
【００２６】
また、底部５の底部起点部５ａから脚部５２と平面部５１に連なる湾曲した各曲面の曲率半径は、曲率半径Ｒ１が３５ｍｍ〜４５ｍｍ、Ｒ２が２０ｍｍ〜４５ｍｍ、Ｒ３が５ｍｍ〜１５ｍｍの範囲内に設定してある。
さらに、図４に示されるように、胴部４の肉厚ｔ１は０．２ｍｍ〜０．５ｍｍ、底部５の平面部５１の肉厚ｔ２は１．３ｍｍ〜３．２ｍｍ、脚部５２の接地面の肉厚ｔ３は０．３ｍｍ〜１．０ｍｍの範囲内に設定してある。また、底部５の平面部５１には、その中央にボトル１の軸心Ｏを中心とする円形の肉厚部５１ａを設けて、その周囲の平面部５１の肉厚ｔ２よりも厚くしてある。
【００２７】
以下、本発明の好適な実施の形態を実施例に基づいて詳細に説明する。なお、下記実施例は本発明を限定するものではない。
【００２８】
（実施例１）
図１に示された形状のボトルを成形し、その内面にＤＬＣ被膜をコーティングして、１Ｌ用の自立性耐圧ボトル１を作製した。
ボトル１の成形寸法は、全長が１８２ｍｍ、胴部４の内径を１０６ｍｍ、脚部５２の高さｄを５．６ｍｍ、底部起点部５ａから脚部５２と平面部５１に連なる湾曲面の曲率半径が曲率半径Ｒ１を４０ｍｍ、Ｒ２を３０ｍｍ、Ｒ３を８ｍｍとし、また、胴部４の肉厚ｔ１を０．２ｍｍ〜０．５ｍｍ、平面部５１の肉厚ｔ２を２．２ｍｍ、脚部５２の接地面の肉厚ｔ３を０．８ｍｍに設定した。
このボトル１の底部５は、その中央部に平坦な平面部５１が配置されており、ボトルの外方へ突出する突起はない。
【００２９】
（実施例２）
図６に示された形状のボトルを成形し、その内面にＤＬＣ被膜をコーティングして、２Ｌ用の自立性耐圧ボトル１を作製した。
ボトル１の成形寸法は、全長が３００ｍｍ、胴部４の肉厚ｔ１を０．３ｍｍ〜０．４ｍｍ、平面部５１の肉厚ｔ２を１．９ｍｍ、脚部５２の接地面の肉厚ｔ３を０．５ｍｍに設定する以外、実施例１の各部の寸法と同じに設定した。
このボトル１の底部５も、その中央部に平坦な平面部５１が配置されており、ボトルの外方へ突出する突起はない。
【００３０】
（実施例３）
実施例１と同じ成形寸法のボトルであって、内面にＤＬＣ被膜はコーティングされていない自立性耐圧ボトルを作製した。
【００３１】
（実施例４）
実施例２と同じ成形寸法のボトルであって、内面にＤＬＣ被膜はコーティングされていない自立性耐圧ボトルを作製した。
【００３２】
（比較例１）
図７に示された、略半球状基礎ベースを輪郭に独立した複数の脚形状を有する、１Ｌ用の自立性耐圧ボトルを作製した。
ボトルの成形寸法は、全長が１８２ｍｍ、胴部の内径が１０６ｍｍと実施例１と同じであるが、ボトルの底部の中央部分は、実施例１と異なり、下方へ突出した湾曲形状に形成した。このボトルの内面には、ＤＬＣ被膜はコーティングされていない。
【００３３】
（比較例２）
図８に示された、底部をペタロイド形状に設けるとともに、底部中央に下方へ突出した突起部を配置した、４００ｍｌ用の自立性耐圧ボトルを作製した。
ボトルの成形寸法は、全長を２０５ｍｍ、胴部の内径を６６ｍｍに設定した。このボトルの内面には、ＤＬＣ被膜はコーティングされていない。
【００３４】
前記各実施例と比較例で作製した自立性耐圧ボトルについて、以下の項目について評価を行なった。
【００３５】
（項目１：飲料充填後の外観確認）
自立性耐圧ボトルに、３ガスボリュームの炭酸水をボトル天面の下方４０ｍｍの高さに達するまで充填するとともにキャップをして密封し、その状態で、底部に凹んだり突出したりする形状の変化があるか否かを、底部の外観を目視により確認した。
【００３６】
（項目２：保管後の外観観察）
自立性耐圧ボトルに、３ガスボリュームの炭酸水をボトル天面の下方４０ｍｍの高さに達するまで充填するとともにキャップをして密封し、これを３８℃６０％ＲＨの苛酷環境下で一週間保管した後、底部に凹んだり突出したりする形状の変化があるか否かを、底部の外観を目視により確認した。
【００３７】
（項目３：転倒試験）
前記項目１と同様に自立性耐圧ボトルに炭酸水を充填するとともにキャップをして密封し、これを、自立方向から徐々に傾けることが可能な治具に設置し、自立性耐圧ボトルが倒れるときの傾き角度を測定した。
【００３８】
（項目４：落下試験）
前記項目１と同様に自立性耐圧ボトルに炭酸水を充填するとともにキャップをして密封し、これを、０．９ｍの高さから、ボトルの底部側を下向けて垂直に落下させ、底部の割れ発生の有無を目視で確認した。
【００３９】
（項目５：耐アルカリ試験）
前記項目１と同様に自立性耐圧ボトルに炭酸水を充填するとともにキャップをして密封し、これを、０．２％の水酸化ナトリウム水溶液（深さ２０ｍｍ）中に立たせて１５分間浸水した後、底部の変形及び割れの有無を目視で確認した。
【００４０】
（項目６：ＤＬＣ膜厚）
ボトルの内面に黒色インキでマスキングを行い、ＤＬＣ成膜後にジエチルエーテルでマスキングを除去し、高精度微細形状測定器（ＥＴ４０００Ａ：小坂研究所社製）を用いて成膜段差形状測定から膜厚を求めた。
【００４１】
（項目７：酸素透過度（ＢＩＦ））
製作した自立性耐圧ボトルの酸素透過率を測定した。測定は、酸素透過率測定装置（Ｏｘｔｒａｎ：Ｍｏｄｅｒｎ  Ｃｏｎｔｏｒｌ社製、単位ｃｃ／ｐｋｇ／ｄａｙ／ａｉｒ）を用い、２３℃、相対湿度５０％の条件下で行なった。
また、未コーティングボトルに対する改善率をＢＩＦ（Ｂａｒｒｉｅｒ  Ｉｍｐｒｏｖｅｍｅｎｎｔ  Ｆａｃｔｏｒ）として算出した。
【００４２】
（項目８：炭酸ガス保持率）
前記項目１と同様に自立性耐圧ボトルに炭酸水を充填するとともにキャップをして密封し、この状態の炭酸ガスボリュームを測定した。
測定は、ガスボリュームテスター（ＤＧＶ−１；ビクスル社製）を用いて行い、炭酸水充填直後に測定したガスボリュームをＡ、３８℃６０％ＲＨに一週間保管後に測定したガスボリュームをＢとし、算出式（Ｂ／Ａ×１００）にて保持率を導出することで行なった。
【００４３】
各項目の評価結果を図９中の表に示す。
実施例１，２における自立性耐圧ボトル１は、炭酸水の充填後及び保管後において、底部が接地面の向きへ飛び出るような変形は発生せず、良好な耐圧性を備えていることが確認できた。また、自立性が良好で、底部の剛性も高いとともにアルカリ水溶液に対する耐性も高いことが確認できた。さらに、内面にＤＬＣコーティングを施していない実施例３，４と比較して、酸素透過率（ＢＩＦ）が１０倍以上あり、また、炭酸ガス保持率が９５％以上あることにより、実施例１，２のボトルは耐圧性能を有するボトル形状であるとともに、高い酸素バリア性及び炭酸ガス保持性能を具備していることが確認できた。
実施例３，４のボトルは、炭酸水の充填後及び保管後において、底部が接地面の向きへ飛び出るような変形は発生せず、またアルカリ水溶液に対する耐性も高かった。
比較例１のボトルは、炭酸水の充填後の保管により底部が接地面の向きへ飛び出す変形が発生し、自立性が損なわれる結果となった。
また、比較例２のボトルでは、底部が接地面の向きに飛び出す変形は生じなかったが、アルカリ溶液浸水時に底部の割れが発生した。
【符号の説明】
【００４４】
１  自立性耐圧ボトル（ボトル）、２  口栓部、３  肩部、４  胴部、５  底部、５１  平面部、５２  脚部
【図１】
0006575011.tif 000002
【図２】
0006575011.tif 000003
【図３】
0006575011.tif 000004
【図４】
0006575011.tif 000005
【図５】
0006575011.tif 000006
【図６】
0006575011.tif 000007
【図７】
0006575011.tif 000008
【図８】
0006575011.tif 000009
【図９】
0006575011.tif 000010
【図１０】
0006575011.tif 000011
【図１１】
0006575011.tif 000012